(57)【要約】【目的】  本発明の目的は、筐体の加工工数及び部品点数を減少させ、安価な照明器具用の筐体を提供する。【構成】  開口を有する筐体本体１００と、この筐体本体１００の開口１１０を塞ぐ蓋体２００と、筐体本体１００の幅方向の一端部に取り付けられており且つ蓋体２００を閉塞状態で保持するためのラッチ機構３００とを具備し、ラッチ機構３００は、図３に示すように、筐体本体１００の幅方向の一端部に取り付けられるベース部３１０と、蓋体２００を係止するためのフック部３２０と、一端部がベース部３１０に、他端部がフック部３２０に各々回動可能に取り付けられた連結部３３０とを有し、フック部３２０の先端部には蓋体２００に面接触可能な当接具３２１ａが設けられている。【選択図】      図１
2006324150.tif 000002
【特許請求の範囲】
【請求項１】
開口を有する筐体本体に取り付けられており且つ前記開口を塞ぐ透光性を有した樹脂製の蓋体を閉塞状態で保持するためのラッチ機構を備えた照明器具用の筐体において、
ラッチ機構は、筐体本体に取り付けられるベース部と、このベース部に回動可能に取り付けられており且つ蓋体を閉塞状態で係止するフック部とを有しており、このフック部の先端部には前記蓋体に面接触可能な当接具が設けられていることを特徴とする照明器具用の筐体。
【請求項２】
請求項１記載の照明器具用の筐体において、ラッチ機構は、一端部にベース部が、他端部にフック部が各々回動可能に取り付けられた連結部を有しており、前記フック部が係止位置に位置したとき、フック部と連結部との取付箇所が、ベース部と連結部との取付箇所よりも下側に位置するようになっていることを特徴とする照明器具用の筐体。
【請求項３】
請求項２記載の照明器具用の筐体において、前記ベース部及び連結部には、前記フック部が係止位置に位置したとき、互いに係合する係合手段が設けられていることを特徴とする照明器具用の筐体。
【発明の詳細な説明】
【技術分野】
【０００１】
本発明はトンネル用の照明器具等の照明器具用の筐体に関する。
【背景技術】
【０００２】
従来のトンネル用の照明器具の筐体は、開口を有する筐体本体と、この開口を塞ぐ蓋体と、この蓋体と筐体本体との間に介在するパッキンと、筐体本体に取り付けられており且つ蓋体を閉塞状態で保持するためのラッチ機構とを備えている( 特許文献１参照) 。
【０００３】
この筐体には、図７に示すように、蓋体１全体が強化ガラスで構成されているものがある。この場合、蓋体１に係止具１ａが取り付けられる一方、ラッチ機構２のフック部２ａの先端部が係止具１ａと係止可能な鉤状となっている。
【０００４】
【特許文献１】特開２００４−１６５１２９号公報
【発明の開示】
【発明が解決しようとする課題】
【０００５】
ところが、強化ガラス製の蓋体１に係止具１ａを取り付けるためのネジ孔を設け、当該ネジ孔に係止具１ａを取り付けなければならない。このため、筐体の加工工数及び部品点数が多くなってしまっていた。
【０００６】
本発明は、上記事情に鑑みて創案されたものであって、その目的とするところは、筐体の加工工数及び部品点数を減少させ、安価な照明器具用の筐体を提供することにある。
【課題を解決するための手段】
【０００７】
上記課題を解決するために、本発明の照明器具用の筐体は、開口を有する筐体本体に取り付けられており且つ前記開口を塞ぐ透光性を有した樹脂製の蓋体を閉塞状態で保持するためのラッチ機構を備えた照明器具用の筐体であって、ラッチ機構は、筐体本体に取り付けられるベース部と、このベース部に回動可能に取り付けられており且つ蓋体を閉塞状態で係止するフック部とを有しており、このフック部の先端部には前記蓋体に面接触可能な当接具が設けられていることを特徴としている。
【０００８】
このラッチ機構は、一端部にベース部が、他端部にフック部が各々回動可能に取り付けられた連結部を有しており、前記フック部が係止位置に位置したとき、フック部と連結部との取付箇所が、ベース部と連結部との取付箇所よりも下側に位置するようにするようになっている。
【０００９】
前記ベース部及び連結部には前記フック部が係止位置に位置したとき、互いに係合する係合手段を設けることができる。具体的には、ベース部に係合孔や係合溝を設ける一方、連結部に前記係合孔や係合溝に係合される突起を設ける。又はベース部に突起を設ける一方、連結部に前記突起が係合可能な係合孔や係合溝をを設ける。
【発明の効果】
【００１０】
本発明の請求項１に係る照明器具用の筐体による場合、ラッチ機構のフック部の先端部に設けた当接具が蓋体に面接触して当該蓋体を閉塞状態で係止するようになっているので、従来例の如く蓋体にネジ孔を設け、係止具を取り付ける必要がない。よって、筐体の加工工数を減少させることができると共に、部品点数を減少させることができる。その結果、低コスト化を図ることができる。しかも、蓋体にネジ孔を設ける必要がないことから、結果として従来より蓋体の強度低下を招かない状態となった。
【００１１】
本発明の請求項２に係る照明器具用の筐体による場合、ラッチ機構は、一端部にベース部が、他端部にフック部が各々回動可能に取り付けられた連結部を有している。即ち、フック部が連結部を介して回動可能となっているので、当該フック部の回動の軌道をフック部をベース部に直接取り付けた場合と比べて大きくすることができる。よって、前記フック部の係止及び取り外しを簡単に行うことができる。
【００１２】
本発明の請求項３に係る照明器具用の筐体による場合、前記ベース部及び連結部には前記フック部が係止位置に位置したとき、互いに係合する係合手段が設けられているので、前記フック部が係止位置に位置した状態を維持することができる。よって、前記フック部の係止が不用意に外れるのを防止することができる。
【発明を実施するための最良の形態】
【００１３】
以下、本発明の実施の形態に係る照明器具用の筐体について図面を参照しながら説明する。図１は本発明の実施の形態に係る照明器具用の筐体の一端部の概略的断面図であって、当該筐体のラッチ機構の係止状態を示す図、図２は同筐体の一端部の概略的断面図であって、当該筐体のラッチ機構の非係止状態を示す図、図３は同筐体のラッチ機構の概略的正面図、図４は同筐体のラッチ機構のベース部を示す図であって、( ａ) が概略的正面図、( ｂ）が概略的平面図、( ｃ) が概略的側面図、図５は同筐体のラッチ機構のフック部を示す図であって、( ａ) が概略的正面図、( ｂ）が概略的平面図、( ｃ) が概略的側面図、図６は同筐体のラッチ機構の連結部を示す図であって、( ａ) が概略的正面図、( ｂ）が概略的平面図、( ｃ) が概略的側面図である。
【００１４】
図１及び図２に示す照明器具用の筐体は、開口を有する筐体本体１００と、この筐体本体１００の開口１１０を塞ぐ蓋体２００と、筐体本体１００の幅方向の一端部に取り付けられており且つ蓋体２００を閉塞状態で保持するためのラッチ機構３００とを具備した構成となっている。即ち、ここでいう筐体とは、筐体本体１１０だけでなく、蓋体２００及びラッチ機構３００を含むものである。以下、各部を詳しく説明する。
【００１５】
筐体本体１００は、金属製の板材をプレス成形した断面視略凹字状の箱体である。この筐体本体１００の内部には図示しない光源が開口１１０に向けて設けられる。この筐体本体１００は、開口１１０の周縁部が外側に向けて略Ｌ字状に折り曲げられた折曲部１２０を有する。この折曲部１２０上には蓋体２００との間に介在して密閉性を高めるためのゴム製のパッキン４００が接着されている。
【００１６】
蓋体２００は、強化ガラス製の板材であって、図示しないヒンジ金具により筐体本体１００の幅方向の他端部に回動可能に取り付けられている。即ち、蓋体２００は、筐体本体１００に開口１１０を開閉可能に取り付けられている。
【００１７】
ラッチ機構３００は、図３に示すように、筐体本体１００の幅方向の一端部に取り付けられるベース部３１０と、蓋体２００を係止するためのフック部３２０と、一端部がベース部３１０に、他端部がフック部３２０に各々回動可能に取り付けられた連結部３３０とを有した構成となっている。
【００１８】
ベース部３１０は、図３及び図４に示すように、略逆台形状の板材の両端部を直角に折り曲げた形状となっている。このベース部３１０の両端部には、連結部３３０の第１の軸孔３３１、３３１( 図６参照) と連通する第１の軸孔３１１、３１１と、連結部３３０の突起３３３、３３３( 図６参照) が係合可能な係合孔３１２、３１２( 係合手段) とが設けられている。このベース部３１０の中央部には、筐体本体１００にネジ止めするためのネジ孔３１３、３１３が設けられている。なお、ネジ孔３１３、３１３と連通する筐体本体１００側のネジ孔は図示していない。
【００１９】
フック部３２０は、図３及び図５に示すように、断面視略コ字状のフック部本体３２１と、このフック部本体３２１の幅方向の両端部から直角に突設された板状の軸体部３２２、３２２とを有した形状となっている。フック部本体３２１は、先端部が略Ｌ字状に折り曲げられており、この先端部に当接具３２１ａが嵌合するようになっている。この当接具３２１ａは、ナイロン等の樹脂成形品であって、図５( ｃ）に示すように、下面が平坦面になっている。即ち、蓋体２００上を滑り、当該蓋体２００に面接触可能となっている。軸体部３２２、３２２には連結部３３０の第２の軸孔３３２、３３２( 図６参照) と連通する第２の軸孔３２２ａ、３２２ａが設けられている。
【００２０】
連結部３３０は、図３及び図６に示すように、平面視略逆凹字状の部材であって、その両端部の長さ方向の一端部には第１の軸孔３３１、３３１が設けられている。この連結部３３０の両端部の長さ方向の他端部には、第２の軸孔３３２、３３２が設けられている。また、連結部３３０の両端部には、第１、２の軸孔３３１、３３１、３３２、３３２の間に突起３３３、３３３( 係合手段) が内側に向けて突設されている。
【００２１】
ベース部３１０の第１の軸孔３１１、３１１及び連結部３３０の第１の軸孔３３１、３３１には第１の連結棒３４０が挿入される。これにより連結部３３０がベース部３１０に回動可能に取り付けられる。一方、連結部３３０の第２の軸部３３２、３３２及びフック部３２０の第２の軸孔３２２ａ、３２２ａには第２の連結棒３５０が挿入される。これによりフック部３２０が蓋体２００を係止した係止位置( 図１参照) から蓋体２００の係止が外れた非係止位置( 図２参照) にかけて連結部３３０を介して回動可能に取り付けられる。
【００２２】
以下、このラッチ機構の使用方法について説明すると共に、各部の動作について説明する。まず、蓋体２００で筐体本体１００の開口を塞いだ状態で、非係止位置に位置したフック部３２０を把持して係止位置へと移動させる。
【００２３】
すると、フック部３２０が第２の連結棒３５０を軸に回動し、これに連動して連結部３３０が第１の連結棒３４０を軸に回動する。このとき、フック部３２０は、連結部３３０を介してベース部３１０に直接取り付けた場合と比べて大きく回動する。これにより、フック部３２０の当接具３２１ａを上方から蓋体２００に接触させる。
【００２４】
その後、フック部３２０の後端部をベース部３１０側に押し込む。すると、フック部３２０と連結部３３０との取付箇所が、ベース部３１０と連結部３３０との取付箇所よりも下側に位置し( 図１参照) 、フック部３２０の当接具３２１ａが蓋体２００上を滑って当該蓋体２００に面接触する。これにより、蓋体２００は、フック部３２０の当接具３２１ａとパッキン４００との間に挟まれて閉塞状態で保持される。
【００２５】
このとき、連結部３３０の突起３３３、３３３がベース部３１０の係合孔３１２、３１２に係合され、これによりフック部３２０が係止位置で保持される。
【００２６】
このフック部３２０の係止を解除するときには、フック部３２０を把持してベース部３１０から離れる方向に引っ張る。すると、連結部３３０の突起３３３、３３３とベース部３１０の係合孔３１２、３１２との係合が外れる。そして、係止部４２０が第２の軸棒４４２を軸に回動し、これに連動して連結部４３０が第１の軸棒４４１を軸に回動する。この過程で、フック部３２０の当接具３２１ａが蓋体２００上を滑って、当該蓋体２００から離れる。このようにしてフック部３２０の係止が外れ、非係止位置に位置する。
【００２７】
このような照明器具用の筐体による場合、フック部３２０の当接具３２１ａを蓋体２００に面接触させるようになっているので、従来例の如く蓋体２００にネジ孔を設けて係止具を取り付ける必要がない。よって、当該筐体の加工工数を減少させることができると共に、部品点数を減少させることができ、その結果、低コスト化を図ることができる。しかも、蓋体２００にネジ孔を設ける必要がないことから、結果として従来より蓋体２００の強度低下を招かない状態となった。
【００２８】
なお、この筐体は、開口を有する筐体本体に取り付けられており且つ前記開口を塞ぐ透光性を有した樹脂製の蓋体を閉塞状態で保持するためのラッチ機構を備えた照明器具用の筐体であって、ラッチ機構は、筐体本体に取り付けられるベース部と、このベース部に回動可能に取り付けられており且つ蓋体を閉塞状態で係止するフック部とを有しており、このフック部の先端部には前記蓋体に面接触可能な当接具が設けられている限りどのように設計変更を行ってもかまわない。
【００２９】
筐体本体１００は、金属板のプレス成形品であるとしたが、箱状体である限りどのようなものを用いても良い。
【００３０】
蓋体２００については、強化ガラス製であるとしたが、透光性を有した樹脂からなる板材である限りどのようなものを用いても良い。
【００３１】
連結部３３０については、省略することが可能である。この場合、ベース部３１０にフック部３２０を直接回動可能に取り付ける。また、連結部３３０の突起３３３、３３３については、係合孔又は係合溝とすることができる。この場合、前記係合孔又は係合溝に係合される突起をベース部に設けるようにする。なお、突起３３３、３３３及び係合孔３１２、３１２については設けるか否か任意である。
【００３２】
ベース部３１０及びフック部３２０については、上記機能を実現可能である限りどのような形状のものを用いてもかまわない。
【００３３】
当接具３２１ａについては、ナイロン製の樹脂に限定されるものでなく、蓋体２００上を滑り、当該蓋体２００に面接触可能なものであれば、どのようなものを用いても良い。
【００３４】
なお、上記実施例では、トンネル用の照明器具の筐体として説明したが、樹脂製の蓋体を有するその他の密閉性を有した電気機器の筐体に適応可能であることは言う迄もない。
【図面の簡単な説明】
【００３５】
【図１】本発明の実施の形態に係る照明器具用の筐体の一端部の概略的断面図であって、当該筐体のラッチ機構の係止状態を示す図である。
【図２】同筐体の一端部の概略的断面図であって、当該筐体のラッチ機構の非係止状態を示す図である。
【図３】同筐体のラッチ機構の概略的正面図である。
【図４】同筐体のラッチ機構のベース部を示す図であって、( ａ) が概略的正面図、( ｂ）が概略的平面図、( ｃ) が概略的側面図である。
【図５】同筐体のラッチ機構のフック部を示す図であって、( ａ) が概略的正面図、( ｂ）が概略的平面図、( ｃ) が概略的側面図である。
【図６】同筐体のラッチ機構の連結部を示す図であって、( ａ) が概略的正面図、( ｂ）が概略的平面図、( ｃ) が概略的側面図である。
【図７】従来例の照明器具用の筐体のフック部の係止状態を示す模式図である。
【符号の説明】
【００３６】
１００    筐体本体
２００    蓋体
３００    ラッチ機構
３１０    ベース部
３２０    フック部
３２１ａ  当接具
３３０    連結部
【図１】
2006324150.tif 000003
【図２】
2006324150.tif 000004
【図３】
2006324150.tif 000005
【図４】
2006324150.tif 000006
【図５】
2006324150.tif 000007
【図６】
2006324150.tif 000008
【図７】
2006324150.tif 000009